【手続補正書】
【提出日】平成22年3月18日(2010.3.18)
【手続補正１】
【補正対象書類名】明細書
【補正対象項目名】００２３
【補正方法】変更
【補正の内容】
【００２３】
本発明の一つの実施形態において、分散体は、さらに、粒子状物質に対する強い親和性を有する少なくとも一つの基、および溶媒に対する強い親和性を有する少なくとも一つの基を保持する化合物である少なくとも一つの分散剤を含む。従って、用いられる分散剤のタイプは、粒子状物質のタイプおよび溶媒のタイプに応じて決められる。適する分散剤のクラスの例には、ポリアルキレンオキシド（ポリエチレンオキシドまたはポリプロピレンオキシドなど）、ポリエステル（ポリカプロラクトン、ポリバレロラクトン、ポリ（ヒドロキシステアリン酸）、またはポリ（ヒドロキシオレイン酸）など）、ポリカプロラクタムなどのポリアミド、ポリアクリレート、ポリスチレン、および疎水性および親水性両方の基を有するブロックコポリマーが挙げられるがそれらに限定されない。好ましい例には、アミンまたは酸官能基を含むアミン官能化またはアミン末端ポリアルキレンオキシドまたはアクリルポリマーなどの、これらのアミン官能化誘導体（ポリアミン、第３アミン、または第４級アンモニウム官能化誘導体など）または酸官能化誘導体（カルボン酸またはホスホン酸官能化誘導体など）が挙げられる。他の適する分散剤は当業者に公知である。分散剤は、また、溶媒中で関連構造を形成するものであることが可能である。「関連構造」とは、逆ミセルなどの分散剤基の相互作用から生じる分散剤分子の組織的配置を意味する。こうした分散剤は、その臨界ミセル濃度（ＣＭＣ）を超えて溶媒に分散剤を添加し、逆ミセルなどの関連構造が形成されたかどうかを測定することにより識別することができるであろう。これらの分散剤は溶媒中で関連構造を形成し、また、分散体それ自体中に、すなわち、粒子状物質の存在下でこうした構造を形成することが可能である。当業者に公知の光散乱法などの技術は、溶媒中または分散体中いずれかにおいてこうした構造の存在を検出するために用いることができる。
【手続補正２】
【補正対象書類名】明細書
【補正対象項目名】００２４
【補正方法】変更
【補正の内容】
【００２４】
この実施形態に対して、特定分散剤は、粒子状物質のタイプおよび分散体の望ましい全体特性に基づき選択することができる。例えば、粒子状物質が少なくとも一つの有機基を結合した顔料を含む改質顔料である場合、分散剤は、好ましくは、顔料に結合した有機基のタイプ用に選択される少なくとも一つの官能基を含む。例えば、改質顔料が少なくとも一つの陰性基または陰性化基を結合した顔料を含む場合、少なくとも一つの陽性官能基または陽性化官能基を含む分散剤が、好ましくは、本発明の分散体を製造するために用いることができることが見出されてきた。特定の組合せは、少なくとも一つのカルボン酸塩の基または少なくとも一つのスルホン酸塩の基、および少なくとも一つのアミン基を含む分散剤を結合した改質顔料を含む。しかし、カルボン酸基などの少なくとも一つの陰性官能基または陰性化官能基を含む分散剤により本発明の分散体を製造することも、また、このタイプの改質顔料に対して可能である。さらに、粒子状物質が少なくとも一つの陽性基または陽性化基を結合した顔料を含む改質顔料である場合、カルボン酸基などの少なくとも一つの陰性官能基または陰性化官能基を含む分散剤が、好ましくは、本発明の分散体を製造するために用いることができることが見出されてきた。結局、少なくとも一つの非イオン性官能基（ポリエーテル基など）を含む分散剤が、少なくとも一つのイオン基、少なくとも一つのイオン化基、またはそれらの混合物を結合した顔料を改質顔料が含む場合、本発明の分散体を製造するために用いることができることも、また、見出されてきた。
【手続補正３】
【補正対象書類名】特許請求の範囲
【補正対象項目名】全文
【補正方法】変更
【補正の内容】
【特許請求の範囲】
【請求項１】
粒子状物質、分散剤、および溶媒を任意の順番で混合することにより調製される分散体であって、
ａ）溶媒が≦５０の誘電率を有し、
ｂ）分散体が≦５０ｃＰの粘度を有する安定な分散体であり、および
ｃ）粒子状物質が分散体の全体質量に対して≧１０質量％の量で存在すると共に、
ｉ）粒子状物質が少なくとも一つの陰性基または陰性化基を結合した顔料を含む改質顔料であり、分散剤が少なくとも一つの陽性基または陽性化基を含むか、
ｉｉ）粒子状物質が少なくとも一つの陽性基または陽性化基を結合した顔料を含む改質顔料であり、分散剤が少なくとも一つの陰性基または陰性化基を含むか、または
ｉｉｉ）粒子状物質が少なくとも一つの陰性基または陰性化基を結合した顔料を含む改質顔料であり、分散剤が少なくとも一つの陰性基または陰性化基を含む、
分散体。
【請求項２】
粒子状物質が分散体の全体質量に対して≧２０質量％の量で存在する、請求項１に記載の分散体。
【請求項３】
顔料が炭素質顔料または有機着色顔料である、請求項１に記載の分散体。
【請求項４】
顔料がブルー顔料、ブラック顔料、ブラウン顔料、シアン顔料、グリーン顔料、ホワイト顔料、バイオレット顔料、マゼンタ顔料、レッド顔料、イエロー顔料、オレンジ顔料、またはそれらの混合物を含む、請求項１に記載の分散体。
【請求項５】
有機基が少なくとも一つのカルボン酸基、少なくとも一つのスルホン酸基、またはそれらの塩を含む、請求項１に記載の分散体。
【請求項６】
有機基が−Ｃ6Ｈ4−ＣＯＯＨ基、−Ｃ6Ｈ4−ＳＯ3Ｈ基、またはそれらの塩である、請求項１に記載の分散体。
【請求項７】
粒子状物質が少なくとも一つの陰性基を結合した顔料を含む改質顔料であり、分散剤が少なくとも一つの陽性化基を含むと共に、陰性基がカルボン酸塩の基またはスルホン酸塩の基であり、陽性化基がアミン基である、請求項１に記載の分散体。
【請求項８】
粒子状物質が少なくとも一つの陽性基を結合した顔料を含む改質顔料であり、分散剤が少なくとも一つの陰性化基を含むと共に、陽性基が第４級アミン基であり、陰性化基がカルボン酸である、請求項１に記載の分散体。
【請求項９】
粒子状物質が少なくとも一つの陰性基を結合した顔料を含む改質顔料であり、分散剤が少なくとも一つの陰性化基を含むと共に、陰性基がカルボン酸塩の基であるか、またはスルホン酸塩の基であり、陰性化基がカルボン酸基である、請求項１に記載の分散体。
【請求項１０】
溶媒がアルコール、エーテル、ケトン、エステル、アミド、スルホキシド、炭化水素、またはそれらの混和性混合物である、請求項１に記載の分散体。
【請求項１１】
溶媒が、さらに、≦２０質量％の水を含む、請求項１に記載の分散体。
【請求項１２】
溶媒がモノマーである、請求項１に記載の分散体。
【請求項１３】
請求項１に記載の分散体を含む塗料組成物。
【請求項１４】
請求項１に記載の分散体を含むインク組成物。
【請求項１５】
インク組成物が非水性インクジェットインク組成物である請求項１４に記載のインク組成物。
【請求項１６】
請求項１に記載の分散体を含むブラックマトリクス組成物。
【請求項１７】
粒子状物質および溶媒を含む分散体であって、
ａ）粒子状物質が分散体の全体質量に対して≧２５質量％量で存在し、
ｂ）溶媒が≦５０の誘電率を有し、および
ｃ）分散体が≦５０ｃＰの粘度を有する安定な分散体である、
分散体。
【請求項１８】
粒子状物質が、ブルー顔料、ブラック顔料、ブラウン顔料、シアン顔料、グリーン顔料、ホワイト顔料、バイオレット顔料、マゼンタ顔料、レッド顔料、イエロー顔料、オレンジ顔料、またはそれらの混合物を含む請求項１７に記載の分散体。
【請求項１９】
粒子状物質が酸化炭素質材料である請求項１７に記載の分散体。
【請求項２０】
粒子状物質が少なくとも一つの有機基を結合した顔料を含む改質顔料であり、有機基が少なくとも一つのイオン基、少なくとも一つのイオン化基、またはそれらの混合物を含む、請求項１７に記載の分散体。
【請求項２１】
顔料が炭素質顔料または有機着色顔料である、請求項２０に記載の分散体。
【請求項２２】
顔料が、ブルー顔料、ブラック顔料、ブラウン顔料、シアン顔料、グリーン顔料、ホワイト顔料、バイオレット顔料、マゼンタ顔料、レッド顔料、イエロー顔料、オレンジ顔料、またはそれらの混合物を含む、請求項２０に記載の分散体。
【請求項２３】
有機基が少なくとも一つのカルボン酸基、少なくとも一つのスルホン酸基、またはそれらの塩を含む、請求項２０に記載の分散体。
【請求項２４】
有機基が−Ｃ6Ｈ4−ＣＯＯＨ基、−Ｃ6Ｈ4−ＳＯ3Ｈ基、またはそれらの塩である、請求項２０に記載の分散体。
【請求項２５】
粒子状物質が少なくとも一つの陰性基を結合した顔料を含む改質顔料であり、分散体が、さらに、少なくとも一つの陽性化官能基を含む分散剤を含む、請求項１７に記載の分散体。
【請求項２６】
陰性基がカルボン酸塩の基またはスルホン酸塩の基であり、陽性化基がアミン基である、請求項２５に記載の分散体。
【請求項２７】
粒子状物質が少なくとも一つの陽性基を結合した顔料を含む改質顔料であり、分散体が、さらに、少なくとも一つの陰性化官能基を含む分散剤を含む、請求項１７に記載の分散体。
【請求項２８】
陽性基が第４級アミン基であり、陰性化基がカルボン酸である、請求項２７に記載の分散体。
【請求項２９】
粒子状物質が少なくとも一つの陰性基を結合した顔料を含む改質顔料であり、分散体が、さらに、少なくとも一つの陰性化官能基を含む分散剤を含む、請求項１７に記載の分散体。
【請求項３０】
陰性基がカルボン酸塩の基またはスルホン酸塩の基であり、陰性化基がカルボン酸基である、請求項２９に記載の分散体。
【請求項３１】
溶媒がアルコール、エーテル、ケトン、エステル、アミド、スルホキシド、炭化水素、またはそれらの混和性混合物である、請求項１７に記載の分散体。
【請求項３２】
溶媒が、さらに、≦２０質量％の水を含む、請求項１７に記載の分散体。
【請求項３３】
溶媒がモノマーである、請求項１７に記載の分散体。
【請求項３４】
請求項１７に記載の分散体を含む塗料組成物。
【請求項３５】
請求項１７に記載の分散体を含むインク組成物。
【請求項３６】
インク組成物が非水性インクジェットインク組成物である、請求項３５に記載のインク組成物。
【請求項３７】
請求項１７に記載の分散体を含むブラックマトリクス組成物。